(57)【要約】【課題】  通信管理情報を記録した時に、通信時刻の順序が逆になる、通信開始から終了するまでの間に次の通信が開始されているという問題があった。【解決手段】  受信した時刻情報により装置の時刻保持手段が保持する時刻情報を修正する画像通信装置において、時刻修正履歴情報を記憶し、通信履歴を記録する際に、時刻修正情報のうち、時刻修正の直前の通信の通信開始時刻から通信時間経過した時刻が時刻修正直後の通信の通信開始時刻よりも後の時刻であるものだけ記録することである。【選択図】  図４
2008178012.tif 000002
【特許請求の範囲】
【請求項１】
着信時に発信者情報と時刻情報を通知するサービスを有する通信回線に接続される画像通信装置において、前記発信者情報と時刻情報を受信する情報受信手段と、現在時刻を保持する時刻保持手段と、前記時刻保持手段の時刻を修正する時刻修正手段と、前記時刻修正手段で修正した内容を記憶する時刻修正内容記憶手段と、画像情報を送受する通信手段と、通信開始時刻を含む通信履歴情報を記憶する通信履歴記憶手段と、前記通信履歴記憶手段に記憶された通信履歴情報を記録する通信履歴記録手段とを有し、
着信時に前記情報受信手段によって時刻情報を受信すると、受信した時刻情報で前記時刻保持手段の時刻を修正するとともに前記時刻修正内容記憶手段に修正内容を記憶し、前記通信履歴記憶手段に記憶されている通信履歴を前記通信履歴記録手段によって記録する際に前記時刻修正内容記憶手段に記憶してある時刻修正内容も記録することを特徴とする画像通信装置。
【請求項２】
請求項１の画像通信装置であって、前記通信履歴記憶手段に記憶されている通信履歴を前記通信履歴記録手段によって記録する際に、前記時刻修正内容記憶手段に記憶してある時刻修正内容のうち、時刻修正の直前の通信の通信開始時刻が時刻修正直後の通信の通信開始時刻よりも後の時刻であるものだけ記録することを特徴とする画像通信装置。
【請求項３】
請求項１の画像通信装置であって、前記通信履歴記憶手段は通信開始時刻と通信に要した通信時間を含む通信履歴情報を記憶し、前記通信履歴記憶手段に記憶されている通信履歴を前記通信履歴記録手段によって記録する際に、前記時刻修正内容記憶手段に記憶してある時刻修正内容のうち、時刻修正の直前の通信の通信開始時刻から通信時間経過した時刻が時刻修正直後の通信の通信開始時刻よりも後の時刻であるものだけ記録することを特徴とする画像通信装置。
【発明の詳細な説明】
【技術分野】
【０００１】
本発明は電話回線に接続され、着信時に回線から送られてくる発信者情報と時刻情報を受信することが可能な装置であって、特に受信した時刻情報により装置の時刻保持手段が保持する時刻情報を修正する画像通信装置に関する。
【背景技術】
【０００２】
着信時に発信者情報と時刻情報が送られてくる回線に接続する装置においては、発信者情報と時刻情報を受信し、受信した発信者情報を表示する。
【０００３】
従来、この受信した時刻情報を用いて、装置の時刻情報を保持する時刻保持手段の時刻情報を修正するものがあった（特許文献１参照）。
【特許文献１】特開平１０−２０６５６９号公報
【発明の開示】
【発明が解決しようとする課題】
【０００４】
しかしながら、時刻情報を受信するのは着信時のみであり、送信時には時刻情報を受信しないので、時刻の補正は行われない。そのため従来の構成の場合には、画像送信時に前記時刻保持手段に保持されている時刻が実際よりも進んでいた場合にはその通信時に時刻が修正されずに進んだ時刻で通信履歴情報が記憶される。そして、その後に受信があると、この時には発信者情報と時刻情報を受信するので、前記時刻保持手段が修正された後に通信履歴情報が記憶される。この時の時刻の修正は時間をさかのぼる方向に修正されるので、前回の送信履歴に記憶されている時刻よりも今回の受信の時刻が前になって通信時刻の順序が逆になってしまうことがあるという問題があった。また、通信開始時刻の他に通信に要した通信時間も記憶し、通信履歴記録時に記録する装置においては通信開始時刻の逆転がなくても、通信開始から終了までのあいだに次の着信動作が行われているような履歴情報になってしまうという問題があった。
【課題を解決するための手段】
【０００５】
本発明においては、着信時に発信者情報と時刻情報を通知するサービスを有する通信回線に接続される画像通信装置において、前記発信者情報と時刻情報を受信する情報受信手段と、現在時刻を保持する時刻保持手段と、前記時刻保持手段の時刻を修正する時刻修正手段と、前記時刻修正手段で修正した内容を記憶する時刻修正内容記憶手段と、画像情報を送受する通信手段と、通信開始時刻と通信に要した通信時間を含む通信履歴情報を記憶する通信履歴記憶手段と、前記通信履歴記憶手段に記憶された通信履歴情報を記録する通信履歴記録手段とを有し、
着信時に前記情報受信手段によって時刻情報を受信すると、受信した時刻情報で前記時刻保持手段の時刻を修正するとともに前記時刻修正内容記憶手段に修正内容を記憶し、前記通信履歴記憶手段に記憶されている通信履歴を前記通信履歴記録手段によって記録する際に、前記時刻修正内容記憶手段に記憶してある時刻修正内容のうち、時刻修正の直前の通信の通信開始時刻から通信時間経過した時刻が時刻修正直後の通信の通信開始時刻よりも後の時刻であるものだけ記録するように動作する。
【発明の効果】
【０００６】
本発明によれば、通信管理情報を記録した時に、通信時刻の順序が逆になる、通信開始から終了するまでの間に次の通信が開始されている、といった矛盾が生じる場合には時刻修正情報を記録することでユーザの混乱を招かないようにすることができる。
【発明を実施するための最良の形態】
【０００７】
ファクシミリ装置を本発明の一実施例として説明する。
【０００８】
図１は本発明の一実施例であるファクシミリ装置の構成を示すブロック図である。
【０００９】
図１において、１００はファクシミリ装置である。１０１は通信回線であり、これを通じて相手端末との通信を行う。１０２は本ファクシミリ装置を通信回線１０１に接続するための通信部であり、通信回線１０１側と装置内部との電気的絶縁、制御部１０５の指示による回線の捕捉、解放、ダイヤルパルス、トーンの送出、回線の監視等を行う。１０３はＲＡＭであり、発呼電話番号、キャリア別料金データ、画像データ、制御データ等を記憶する。１０４はＲＯＭであり、制御部１０５の制御プログラム、各種設定の初期値が記憶されている。１０５は制御部であり、ＲＯＭ１０４に記述されたプログラムに従って各機能ブロックを制御する。１０６は操作部であり、送・受信、発・着呼、等のオペレータの操作を受け付け、制御部１０５へオペレータの操作を通知する。１０７は表示部であり、発呼時のダイヤル、装置の状態等、オペレータに伝えたい情報を表示する。１０８はモデムであり、送信の場合は送信信号を変調し、受信の場合は通信回線１０１からの受信信号を復調する。また、トーナル信号、ＤＴＭＦ信号等の検出・合成も行う。１０９はスピーカであり、回線のモニタ、オペレータの呼び出し、操作音、エラー音を鳴らす。１１０は記録部であり、受信画像、各種レポート等を出力する。１１１は読取部であり、原稿を読み取ってＲＡＭ１０３に蓄積する。
【００１０】
図２は、本発明の一実施例であるファクシミリ装置１００のＲＡＭ１０３に設けられた通信履歴記憶エリア２０１と、時刻修正情報記憶エリア２０７の構成を示す図である。
【００１１】
本実施例では通信履歴情報は、管理番号、開始時刻、種別、相手番号、結果、枚数、通信時間で構成されている。ＲＡＭ１０３に設けられた通信履歴情報記憶エリア２０１にはファクシミリ通信の１通信毎に記憶され、２０２から２０６の５通信分の情報が記憶されている。
【００１２】
時刻修正情報は、管理番号、修正前時刻、修正後時刻から構成されている。ＲＡＭ１０３に設けられた時刻修正情報記憶エリア２０７には時刻修正される毎に時刻修正情報が記憶され、２０８、２０９の2回分の時刻修正情報が記憶されている。
【００１３】
ここで、通信履歴情報の管理番号と時刻修正情報の管理番号はリンクされたものである。着信があると回線から通知される時刻情報で装置の時刻情報を修正してその内容を時刻修正情報記憶エリア２０７に記憶する。そして、その後でＦＡＸ通信を実施し、ＦＡＸ通信が終了した時点で通信履歴情報を通信履歴情報記憶エリア２０１に記憶する。詳しくは図３以降で詳しく説明する。
【００１４】
図３は、本発明の一実施例であるファクシミリ装置１００の通信の処理を示す流れ図である。
【００１５】
ファクシミリ装置１００は待機状態において、図３のＳ３０１で受信処理を開始するかどうか、Ｓ３０２では送信処理を開始するかどうかを交互にチェックしており、どちらかで処理の開始を検出するとその処理を進めていく。
【００１６】
Ｓ３０１では受信処理を開始するかどうかを判断する。通信回線１０１から通信開始を示す信号が到来しているかどうかを通信部１０２を用いて判断する。信号を検出した時にはＳ３０５へ進む。検出しない時はＳ３０２へ進む。
【００１７】
Ｓ３０２では送信処理を開始するかどうかを判断する。オペレータが操作部１０６を操作して送信開始を指示したかどうかを判断し、指示があった場合はＳ３０３へ進み、指示がない場合はＳ３０１へ戻る。
【００１８】
Ｓ３０３では読取部１１１から読み取った画像を操作部１０６で指示されたあて先へ、通信部１０２を通じてＦＡＸプロトコルで送信し、Ｓ３０４へ進む。
【００１９】
Ｓ３０４ではＳ３０３までに実行したＦＡＸ通信の通信履歴情報をＲＡＭ１０３の通信履歴情報記憶エリア２０１へ記憶させ、処理を終了する。
【００２０】
ここで、通信履歴情報に含まれる管理番号について説明する。管理番号は通信毎に番号を割り当てて区別をするものであり、番号自体に意味はない。また、同じ番号を繰り返し使用してもいいように、その最大値は通信履歴に蓄積可能な履歴数よりも大きくしている。また、通信履歴情報に含まれる管理番号と時刻修正情報に含まれる管理番号はリンクしたものである。ＦＡＸ受信をする時に時刻情報を受信し、ファクシミリ装置の保持時刻を修正すると、そのＦＡＸ受信の通信に割り振られる管理番号と同じ番号を時刻修正情報の管理番号とする。図２の２０３の通信履歴情報では管理番号は１０７７となっている。これと同じ管理番号１０７７を持つ時刻修正情報は２０８になり、この時刻の修正は２０３の通信の最初に時刻情報を受信した際に実施したものである。ＦＡＸ送信する場合には時刻情報を回線から受信しないので、送信の時の通信では時刻の修正は行われない。このように通信履歴情報と時刻修正情報は管理番号でリンクされているため、どの時刻修正はどの通信の際のものかがわかるようになっている。
【００２１】
Ｓ３０５では通信回線１０１から送出される発信者情報、時刻情報を通信部１０２で受信しＳ３０６へ進む。
【００２２】
Ｓ３０６ではＳ３０５で受信した発信者情報を表示部１０８に表示しＳ３０７へ進む。
【００２３】
Ｓ３０７では通信装置１００が保持している時刻情報を、Ｓ３０５で受信した時刻情報で修正し、修正した内容をＲＡＭ１０３に設けられた時刻修正情報記憶エリア２０７へ記憶する。
【００２４】
Ｓ３０８では通信部１０２を通じて相手装置とＦＡＸプロトコルで画像を受信し、記録部１１１で記録しＳ３０９へ進む。
【００２５】
Ｓ３０９ではＳ３０８までに実行したＦＡＸ通信の通信履歴情報をＲＡＭ１０３の通信履歴情報記憶エリア２０１へ記憶させ、処理を終了する。
【００２６】
図４は、本発明の一実施例であるファクシミリ装置１００の通信履歴情報の記録処理を示す流れ図である。
【００２７】
オペレータの操作部１０６の操作によって通信履歴情報の記録が指示されると、通信履歴情報の記録処理が開始され、Ｓ４０１に処理が進んでくる。
【００２８】
Ｓ４０１では未記録の通信履歴情報があるかどうかを判断する。ＲＡＭ１０３の通信履歴情報エリア２０１にまだ記録していない情報があればＳ４０２へ進み、なければ記録処理を終了する。
【００２９】
Ｓ４０２では未記録の通信履歴情報のうち、最初に記憶された通信の履歴情報を読み出す。
【００３０】
Ｓ４０３では読み出した通信履歴情報とその１つ前の通信履歴情報があればその情報との間に矛盾がないかどうかを調べ、矛盾があればＳ４０４へ進み、それ以外であればＳ４０５へ進む。
【００３１】
Ｓ４０４ではＳ４０２で読み出した通信履歴情報に対応する時刻修正情報を記録部１１０で記録する。
【００３２】
Ｓ４０５ではＳ４０２で読み出した通信履歴情報を記録部１１０で記録する。
【００３３】
図２のような情報が記憶された状態で通信履歴情報の記録処理が実行されると、最初にＳ４０２を実行する時には管理番号が一番若い通信履歴情報２０２が読み出される。２０２よりも前に記憶された通信履歴情報はないので、Ｓ４０３からＳ４０５へ進み、２０２が記録される。次にＳ４０２を実行する時には未記録の通信履歴情報のうち最初に記憶されたのは２０３になるので２０３を読み出す。Ｓ４０３では２０３の１つ前の通信履歴２０２との間で矛盾が生じていないかを判断する。ここでは、２０２の通信開始時刻２００５年１１月１０日１２：０５から通信時間２分１１秒分だけ先の２００５年１１月１０日１２：０８よりも２０３の通信開始時刻２００５年１１月１２日０９：２３の方が後になるため矛盾は生じていない。矛盾が生じていないのでＳ４０５へ進み２０３を記録する。このように１つづつ通信履歴情報を記録していくが、２０６の時に矛盾が生じてしまう。２０５の通信は通信開始時刻２００５年１２月１日１４：１３から通信時間５分２３秒だけ先の２００５年１２月１日１４：１９に通信が終了したことになる。しかしながら通信履歴情報２０６には通信開始時刻が２００５年１２月１日１４：１５となっており、２０５の通信途中に２０６の通信が始まったことになっている。これは２０６の通信開始時に装置が保持する時刻情報が修正されたため矛盾が生じたので、Ｓ４０４へ進み対応する時刻修正情報を記録する。通信履歴情報２０６に対応する時刻修正情報は同じ管理番号１０８０を持つ２０９であり、この情報を記録しＳ４０５へ進む。Ｓ４０５では通信履歴情報２０６を記録し処理を終了する。このようにして記録した通信履歴情報の例を図５に示す。
【００３４】
図５は、従来のファクシミリ装置の通信履歴情報の記録例と、本発明の一実施例であるファクシミリ装置１００の通信履歴情報の記録例を示す図である。
【００３５】
図５において、５０１は従来技術のファクシミリ装置で通信履歴情報を記録した従来の通信履歴レポート、５０２は本発明の一実施例であるファクシミリ装置１００の通信履歴情報を記録した本実施例の通信履歴レポートである。従来の通信履歴レポート５０１は管理番号１０７９と１０８０の通信履歴情報の間で時刻に矛盾が生じているが、時刻修正上方が記録されていないので、矛盾によってユーザが混乱する。これに対して本実施例の通信履歴レポートは矛盾が生じている管理番号１０７９と１０８０の通信履歴情報の間に時刻修正情報が記録されているためにユーザが混乱することがない。
【００３６】
以上説明したように本発明によれば、通信管理情報を記録した時に、通信時刻の順序が逆になる、通信開始から終了するまでの間に次の通信が開始されている、といった矛盾が生じる場合には時刻修正情報を記録する。その結果、本発明によればユーザの混乱を招かないようにすることができる。
【図面の簡単な説明】
【００３７】
【図１】本発明の一実施例であるファクシミリ装置の構成を示すブロック図である。
【図２】本発明の一実施例であるファクシミリ装置１００の通信履歴記憶エリアと、時刻修正情報記憶エリアの構成を示す図である。
【図３】本発明の一実施例であるファクシミリ装置１００の通信の処理を示す流れ図である。
【図４】本発明の一実施例であるファクシミリ装置１００の通信履歴情報の記録処理を示す流れ図である。
【図５】従来のファクシミリ装置の通信履歴情報の記録例と、本発明の一実施例であるファクシミリ装置１００の通信履歴情報の記録例を示す図である。
【符号の説明】
【００３８】
１００  ファクシミリ装置
１０１  通信回線
１０２  通信部
１０３  ＲＡＭ
１−４  ＲＯＭ
１−５  制御部
１−６  操作部
１−７  表示部
１−８  モデム
１−９  スピーカ
１−１０  記録部
１−１１  読取部
【図１】
2008178012.tif 000003
【図２】
2008178012.tif 000004
【図３】
2008178012.tif 000005
【図４】
2008178012.tif 000006
【図５】
2008178012.tif 000007